(57)【要約】【課題】  ハードウェアキーボードの質感を残し、外観に優れたガラスキーボードを備えた電子デバイスを提供することを目的とする。【解決手段】  電子デバイスは、情報を表示するための表示ユニットを有する表示用筐体と、前記表示用筐体と連結され、ソフトウェアキーボードを表示するタッチスクリーン表示ユニットを有する入力用筐体と、を備え、前記キーボードは、使用者からの入力情報を受け付ける複数のキー領域と前記キー領域を取り囲む非キー領域とを有し、前記キー領域および前記非キー領域のいずれか一方はガラス部材であり、もう一方は前記ガラス部材とは異なる材料からなり、前記キー領域と前記非キー領域とが接合されている。【選択図】図１
2020106871.tif 000002
【特許請求の範囲】
【請求項１】
情報を表示するための表示ユニットを有する表示用筐体と、
前記表示用筐体と連結され、キーボードを有する入力用筐体と、を備え、
前記キーボードは、使用者からの入力情報を受け付ける複数のキー領域と前記キー領域を取り囲む非キー領域とを有し、
前記キー領域および前記非キー領域のいずれか一方はガラス部材であり、もう一方は前記ガラス部材とは異なる材料からなり、
前記キー領域と前記非キー領域とが接合されている電子デバイス。
【請求項２】
前記キー領域がガラス部材であり、前記非キー領域との接合面の表面粗さＲａが２ｎｍ以上１００ｎｍ以下である請求項１に記載の電子デバイス。
【請求項３】
前記非キー領域がガラス部材であり、前記キー領域との接合面の表面粗さＲａが２ｎｍ以上１００ｎｍ以下である請求項１に記載の電子デバイス。
【請求項４】
前記ガラス部材の接合面の表面粗さＲａが、１０ｎｍ以上５０ｎｍ以下である請求項１又は２に記載の電子デバイス。
【請求項５】
前記ガラス部材の接合面の表面粗さＲａが、１５ｎｍ以上４５ｎｍ以下である請求項１又は２に記載の電子デバイス。
【請求項６】
前記キー領域と前記非キー領域との段差が１５μｍ未満である請求項１から５の何れか一項に記載の電子デバイス。
【請求項７】
前記キー領域と前記非キー領域との段差が１５μｍ以上２００μｍ以下である請求項１から５の何れか一項に記載の電子デバイス。
【請求項８】
前記ガラス部材の露出面の表面粗さＲａが１５ｎｍ以上１００ｎｍ以下であり、その露出面上にフッ素を含む樹脂からなる防汚層が設けられている請求項１から７の何れか一項に記載の電子デバイス。
【請求項９】
前記異なる材料が、樹脂、金属および木材からなる群から選択される材料である請求項１から５の何れか一項に記載の電子デバイス。
【請求項１０】
前記キー領域と前記非キー領域とが接着剤を介して接合される請求項１から９の何れか一項に記載の電子デバイス。
【請求項１１】
前記ガラス部材が化学強化ガラスで構成される請求項１から１０の何れか一項に記載の電子デバイス。
【請求項１２】
前記キーボードはＱＷＥＲＴＹキーボードであり、「Ｆ」と「Ｊ」に対応する位置の前記ガラス部材の露出面の表面粗さＲａが１５ｎｍ未満である請求項２に記載の電子デバイス。
【発明の詳細な説明】
【技術分野】
【０００１】
本発明は、ガラスを用いたキーボードを有する電子デバイスに関する。
【背景技術】
【０００２】
近年、入力デバイスとしてハードウェアキーボードに代えて、タッチスクリーン表示ユニットにソフトウェアキーボードを表示させる電子デバイスが開発されている。ソフトウェアキーボードをタッチ入力することにより、使用者は電子デバイスに入力操作を行う。
【０００３】
一般的に、電子デバイスのハードウェアキーボードは、特定のキーに突起を設けているので、使用者が触覚によりキーの位置を認識できる。一方、ソフトウェアキーボードでは、タッチスクリーン表示ユニットが平坦であるため突起を設けることができず、使用者がキーの位置を触覚により認識すること困難である。
【０００４】
ソフトウェアキーボードを有する電子デバイスにおいて、使用者がキーの位置を認識することができる技術が提案されている。特許文献１の技術では、タッチスクリーンディスプレイにソフトウェアキーボードを表示し、かつ特定のキーを水平方向および垂直方向から指示するための指示表示を行うための表示制御手段を備える。
【先行技術文献】
【特許文献】
【０００５】
【特許文献１】特開２０１６−１１０２３７号公報
【発明の概要】
【発明が解決しようとする課題】
【０００６】
ところで、特許文献１の技術では、画像表示装置に画像として表示されるキーボードを使用者が視覚で認識し、タッチパネルを介して入力を行うソフトウェアキーボードが採用されている。しかし、モバイルＰＣ（Personal Computer）等に代表される入力頻度の高い電子デバイスの入力装置の大半にハードウェアキーボードが採用されている。一方、ブラインドタイプしづらい現状のソフトウェアキーボードは、直感的な入力が難しく、敬遠される傾向にある。
【０００７】
本発明は、上記課題に鑑みてなされたものであって、ハードウェアキーボードの質感を残し、外観に優れたガラスキーボードを備えた電子デバイスを提供することを目的とする。
【課題を解決するための手段】
【０００８】
本発明の電子デバイスは、情報を表示するための表示ユニットを有する表示用筐体と、前記表示用筐体と連結され、キーボードを有する入力用筐体と、を備え、前記キーボードは、使用者からの入力情報を受け付ける複数のキー領域と前記キー領域を取り囲む非キー領域とを有し、前記キー領域および前記非キー領域のいずれか一方はガラス部材であり、もう一方は前記ガラス部材とは異なる材料からなり、前記キー領域と前記非キー領域とが接合されている。
【発明の効果】
【０００９】
本発明によれば、ハードウェアキーボードの質感を残し、外観に優れたガラスキーボードを備えた電子デバイスを提供できる。
【図面の簡単な説明】
【００１０】
【図１】図１は、第１実施形態の電子デバイスの斜視図である。
【図２】図２は、図１のＩ−Ｉ線に沿う板状部材の概略断面図である。
【図３】図３は、第２実施形態の電子デバイスの斜視図である。
【発明を実施するための形態】
【００１１】
以下、添付図面にしたがって本発明の実施形態について説明する。本発明は以下の実施形態により説明される。但し、本発明の範囲を逸脱すること無く、多くの手法により変更を行うことができ、実施形態以外の他の実施形態を利用することができる。したがって、本発明の範囲内における全ての変更が特許請求の範囲に含まれる。ここで、図中、同一の記号で示される部分は、基本的に、同様の機能を有する同様の要素である。
【００１２】
〔第１実施形態〕
第１実施形態の電子デバイスについて、図を参照に説明する。図１は、ラップトップコンピュータ（ノートブックコンピュータとも称される）に代表される電子デバイスの斜視図である。
【００１３】
図１に示されるように、電子デバイス１０は、情報を表示するための表示ユニット１１０を有する表示用筐体１００と、表示用筐体１００と連結されるキーボード２１０を有する入力用筐体２００と、を備える。
【００１４】
図１に示されるように、表示用筐体１００と入力用筐体とは、連結部材である２個のヒンジ４００により、回転自在に機械的に連結される。
【００１５】
図１においては、表示ユニット１１０とキーボード２１０とを使用者が視認できる位置にあり、電子デバイス１０は開いた状態にある。通常は、入力用筐体２００が下側に設置される。表示ユニット１１０とキーボード２１０を視認しながら、使用者は電子デバイス１０を操作する。
【００１６】
表示用筐体１００と入力用筐体２００とを回転移動させることにより、表示ユニット１１０とキーボード２１０とが相互に覆う位置にすることができ、電子デバイス１０は閉じた状態となる。閉じた状態では、表示ユニット１１０とキーボード２１０とは、使用者に視認されない状態にある。通常、閉じた状態では、多くは、電子デバイス１０を使用しない場合、また電子デバイス１０を移動させている場合である。
【００１７】
図１に示されるように、表示用筐体１００は、平面視において矩形状で、薄い直方体形状を有している。但し、表示用筐体１００の形状は、特に限定されない。表示用筐体１００は、複数の部材により構成されてもよい。表示用筐体１００は、例えば、樹脂等で構成される。しかしながら、表示用筐体１００の材料は限定されない。
【００１８】
表示ユニット１１０は、表示用筐体１００の開口部を覆うように、表示用筐体１００に支持される。表示ユニット１１０は各種の情報（文字、図形および写真等）を表示する。表示ユニット１１０として、液晶表示ユニット、有機発光ダイオードユニット等を使用することができる。例えば、液晶表示ユニットは、ガラス基板、樹脂基板等で構成されるＴＦＴ（Thin Film Transistor）基板と、ＣＦ（Color Filter）基板と、ＴＦＴ基板およびＣＦ基板に挟持される液晶層と、により構成される。
【００１９】
表示ユニット１１０は、外層側に保護部材として透明の板状部材を備えることができる。板状部材は、例えば、樹脂、ガラス等により構成される。
【００２０】
図１に示されるように、入力用筐体２００は、平面視において矩形状で、薄い直方体形状を有している。入力用筐体２００の形状は、特に限定されない。入力用筐体２００は、複数の部材により構成されてもよい。入力用筐体２００は、例えば、樹脂等で構成される。しかしながら、入力用筐体２００の材料は限定されない。
【００２１】
入力用筐体２００を介して入力された信号が、電子デバイス１０に備えられる制御装置（不図示）に入力される。制御装置は入力信号に基づき、所定の処理を行う。制御装置は処理の結果を表示用筐体１００に出力する。表示用筐体１００の表示ユニット１１０は表示結果を表示する。
【００２２】
図１に示されるように、キーボード２１０は、入力用筐体２００の開口部を覆うように、入力用筐体２００に支持される。キーボード２１０は、タッチスクリーンと表示ユニットとを備える。タッチスクリーン（タッチパネルとも称する）は、使用者がタッチした座標を検出する。タッチスクリーンとして、例えば静電容量式タッチスクリーンを使用することができる。静電容量式タッチスクリーンは、例えば、タッチスクリーン用基板、およびタッチスクリーン用基板にパターン状に配置された透明なＩＴＯ（Indium Tin Oxide）電極等により構成される。タッチスクリーンは、静電容量式に限定されず、抗膜方式、表面弾性波方式、および電磁誘導方式等を使用することができる。
【００２３】
キーボード２１０は、最表部にタッチ入力を受け付けるための板状部材２２０を備える。タッチ入力を受け付ける板状部材２２０とは、入力のために使用者が触れる部材を意味する。
【００２４】
第１実施形態において、板状部材２２０は、ソフトウェアキーボードのキー表示部分に対応する領域に配置されるキー領域２３０、およびキー表示部分以外に対応する領域に配置され、かつキー領域２３０とは異なる材料からなる非キー領域２４０とから構成される。非キー領域２４０はキー領域２３０を取り囲んでいる。電子デバイス１０の使用者はキー領域２３０を介して電子デバイス１０に入力操作を実行する。なお、図１に示されるように、キー領域２３０はキー表示部分に対応するので、一般的には上面視において略矩形状を有している。但し、キー領域２３０の形状は限定されない。
【００２５】
本実施形態では、キー領域２３０の材料にガラス部材を用いている。ガラス部材は可視光透過率が高いため、キー領域２３０の下にディスプレイ等の表示ユニットを設け、ガラス部材を介して視認可能な構成としても構わない。ディスプレイそれぞれに入力キー用の画像を表示させたり、その他ソフトウェアに対応した画像を表示させたり、用途に応じてキー領域２３０に表示させる画像を変更できるため好ましい。
【００２６】
表示ユニットとしては、液晶表示ユニット、有機発光ダイオードユニット等を使用することができる。例えば、液晶表示ユニットは、ガラス基板、樹脂基板等で構成されるＴＦＴ（Thin Film Transistor）基板と、ＣＦ（Color Filter）基板と、ＴＦＴ基板およびＣＦ基板に挟持される液晶層と、により構成される。
【００２７】
また、本実施形態では、非キー領域２４０の材料にガラス部材とは異なる材料（以下、接合部材と称する。）を用いている。
【００２８】
一方、キー領域２３０のガラス部材に直接印刷等で入力キー用の文字等を設けても構わない。この場合はガラス部材の下にディスプレイ等を設けなくて良いため構成が簡便になるため好ましい。ガラス部材に直接印刷等で文字等を設ける場合には、ガラス部材表面の最大高さ粗さＲｚが５０ｎｍ以上であり、算術平均粗さＲａが１ｎｍ以上である（いずれも日本工業規格２００１  ＪＩＳ  Ｂ０６０１）ことが好ましい。そのような表面形状とすることで、ガラス部材インクを留めることが可能になる。よって、インクで形成された文字等が不本意に広がったり、ずれたりする現象を有意に抑制することができる。
【００２９】
また、キー領域２３０のガラス部材表面（露出面）の算術平均粗さＲａが１５ｎｍ以上１００ｎｍ以下とし、その露出面上にフッ素を含む樹脂からなる防汚層が形成されていても良い。そうすることで良好な指滑り性を実現することが出来る。
【００３０】
特に、下記式（１）で表される防汚層の成膜量Ｘが０．５以上１０以下の場合指滑り性が良くなるため好ましい。
【００３１】
Ｘ＝（Ｓ１−Ｓ２）／（Ｓ３−Ｓ２）・・・（１）
Ｓ１；キー領域２３０のガラス部材表面の位置で、蛍光Ｘ線測定装置で防汚層側から測定したＦ−Ｋα線強度
Ｓ２；フッ素を実質的に含有しないガラス板の蛍光Ｘ線測定装置で測定したＦ−Ｋα線強度
Ｓ３；フッ素を２ｗｔ％含有するアルミノシリケー卜ガラス板の蛍光Ｘ線測定装置で測定したＦ−Ｋα線強度
ここで、「フッ素を実質的に含有しないガラス板」とは、二次イオン質量分析法（ＳＩＭＳ）により測定したフッ素の含有量が１００ｐｐｍ未満のガラス板を意味し、たとえば市販のソーダライムガラス等でもよい。
【００３２】
図２は、図１のＩ−Ｉ線沿う板状部材２２０の概略断面図である。図２に示されるように、キー領域２３０のガラス部材は、対向する主面２３２および主面２３４、および主面２３２と主面２３４とに連なり、非キー領域２４０の接合部材との接合面である側面２３６とを有する。キー領域２３０の厚みは、例えば、３ｍｍ以下であることが好ましく、０．２ｍｍ以上２．０ｍｍ以下の範囲がより好ましく、０．３ｍｍ以上１．５ｍｍ以下の範囲であることがさらに好ましい。
【００３３】
ガラス部材の側面２３６は、２ｎｍ以上１００ｎｍ以下の算術平均表面粗さＲａの凹凸構造を有する。
【００３４】
凹凸構造は、根元部分の少なくとも一部が、先端部分に比べて内方にくびれた構造を含んでいる。くびれた構造には、根元部分が両側から内側にくびれた構造、根元部分が一方側から内側にくびれた構造が含まれる。
【００３５】
図２に示されるように、キー領域２３０であるガラス部材の側面２３６と、非キー領域２４０である接合部材の端面２４２とが接合される。側面２３６は、くびれた構造を含む凹凸構造を有するので、アンカー効果によりガラス部材の側面２３６と、接合部材の端面２４２との間の接合力を高めることができる。実施形態では、側面２３６と端面２４２とを直接接合する場合を例示した。側面２３６と端面２４２とを接着剤を介して接合することができる。接着剤を使用する場合においても、アンカー効果により、側面２３６と端面２４２との接合力を高めることができる。
【００３６】
ガラス部材の側面２３６の表面粗さＲａは、２ｎｍ以上１００ｎｍ以下が好ましく、１０ｎｍ以上５０ｎｍ以下であることがより好ましく、１５ｎｍ以上４５ｎｍ以下であることがさらに好ましい。
【００３７】
第１実施形態では、上述したように、板状部材２２０はキー領域２３０がガラス部材で構成され、非キー領域２４０の領域がガラス部材と異なる材料により構成される。したがって、指５００で板状部材２２０を触れた際、触覚（手の触感に違い）によりガラス部材と接合部材の位置を認識することができる。ガラス部材はキー領域２３０に対応するので、使用者がガラス部材の位置を認識できれば、キー領域２３０の位置を認識できる。そのため、使用者は、ブラインドタッチのように指の触覚により、電子デバイス１０に入力することが可能となる。
【００３８】
第１実施形態では、キー領域２３０と非キー領域２４０の段差は１５μｍ以上２００μｍ以下であることが好ましい。この範囲である場合、キー領域２３０と非キー領域２４０が板状部材２２０のように一体的に形成可能であるとともに、使用者がキー領域２３０と非キー領域２４０との段差の触感でより容易にキー領域２３０を特定できるため好ましい。
【００３９】
また、キー領域２３０と非キー領域２４０の段差が１５μｍ未満の場合、実質的に平坦である。平坦な板状部材２２０に突起等を設けることなく、簡便な構成でキー領域２３０の位置を認識できるので、意匠性とキー認識性の両立性に優れた電子デバイス１０を得ることができる。
【００４０】
さらに、キー領域２３０の表面と非キー領域２４０の表面の性状（例えば、表面粗さ等）を異ならせることにより、さらに、使用者のキー認識性を向上させることができる。
【００４１】
なお、図２に示されるように、板状部材２２０のタッチ入力される面と反対面にはセンサ部材６００が設けられる。センサ部材６００により、タッチ入力された座標を検出することができる。さらに、キー領域２３０がタッチされた場合に、使用者に触れている領域がキー領域２３０であるか否かを知らせるために、振動や音を発生させる機構をセンサ部材６００に併せて設けてもよい。
【００４２】
次に、ガラス部材の好ましい態様について説明する。
【００４３】
ガラス部材のマルテンス硬さは、例えば２０００Ｎ／ｍｍ２以上４５００Ｎ／ｍｍ２未満であってもよく、２０００Ｎ／ｍｍ２以上４０００Ｎ／ｍｍ２以下であることがより好ましい。マルテンス硬さが２０００Ｎ／ｍｍ２以上の場合、耐久性がよい。また、マルテンス硬さが４５００Ｎ／ｍｍ２未満であれば、切断等の加工が可能であり、４０００Ｎ／ｍｍ２以下の場合、指で触ったときに適度なへこみ感が得られる。マルテンス硬さは、さらに好ましくは２０００Ｎ／ｍｍ２以上３５００Ｎ／ｍｍ２以下である。なお、マルテンス硬さは、ガラスの表面の柔らかさを表す指標であり、ＩＳＯ１４５７７に準拠した方法で測定可能である。
【００４４】
ガラス部材の素板となるガラス板は、フロート法、またはフュージョン法などで成形される。ガラス板は、ソーダライムシリケートガラス、アルミノシリケートガラス、または無アルカリガラスなどで構成される。ガラス板は、化学強化処理がなされたガラス板でも、未強化のガラス板でもよい。化学強化ガラス板の場合、ガラス板はアルカリ金属を含む。
【００４５】
ここで、「化学強化処理」とは、アルカリ金属を含む溶融塩中にガラス板を浸漬させ、ガラス板の最表面に存在する原子径の小さなアルカリ金属（イオン）を、溶融塩中に存在する原子径の大きなアルカリ金属（イオン）と置換する技術の総称を言う。「化学強化処理」では、処理されたガラス板の表面には、処理前の元の原子よりも原子径の大きなアルカリ金属（イオン）が配置される。このため、ガラス板の表面に圧縮応力層を形成することができ、これによりガラス板の強度が向上する。
【００４６】
例えば、ガラス板がナトリウム（Ｎａ）を含む場合、化学強化処理の際、このナトリウムは、溶融塩（例えば硝酸塩）中で、例えばカリウム（Ｋ）と置換される。あるいは、例えば、ガラス基板がリチウム（Ｌｉ）を含む場合、化学強化処理の際、このリチウムは、溶融塩（例えば硝酸塩）中で、例えばナトリウム（Ｎａ）および／またはカリウム（Ｋ）と置換されてもよい。
【００４７】
ガラス部材の側面２３６を粗化処理することにより、側面２３６の表面に２ｎｍ以上１００ｎｍの表面粗さＲａが凹凸構造を形成できる。例えば、粗化処理では、側面２３６の表面にエッチング処理が行われる。エッチング処理には、化学エッチング、物理エッチング等が含まれる。化学エッチングの場合は、ドライエッチング、ウェットエッチングのいずれでもよい。ドライエッチングでは、例えばフッ化水素（ＨＦ）ガスを含む処理ガスを用いてもよい。
【００４８】
エッチング処理の温度は、特に限られないが、通常、４００℃以上８００℃以下の範囲である。エッチング処理の温度は、５００℃以上７００℃以下の範囲であることが好ましく、５００℃以上６５０℃以下の範囲であることがより好ましい。
【００４９】
処理ガスは、フッ化水素ガスの他、キャリアガスおよび希釈ガスを含んでもよい。キャリアガス、希釈ガスとしては、特に限定されないが、例えば、窒素および／またはアルゴン等が使用される。また、水を加えても構わない。
【００５０】
処理ガス中のフッ化水素ガスの濃度は、ガラス部材の側面２３６が適正にエッチング処理される限り、特に限定されない。処理ガス中のフッ化水素ガスの濃度は、例えば、０．１ｖｏｌ％以上１０ｖｏｌ％以下の範囲であり、０．３ｖｏｌ％以上５ｖｏｌ％以下の範囲であることが好ましく、０．５ｖｏｌ％以上４ｖｏｌ％以下の範囲であることがより好ましい。このとき、処理ガス中のフッ化水素ガスの濃度（ｖｏｌ％）は、（フッ素ガス流量／（フッ素ガス流量＋キャリアガス流量＋希釈ガス流量））×１００より求められる。
【００５１】
次に接合部材について説明する。接合部材はガラス部材と直接または接着剤を介して接合することができる限り、材料は限定されない。例えば、接合部材は樹脂、金属および木材からなる群から選択される材料であることが好ましい。
【００５２】
図１において、説明のため、キー領域２３０と非キー領域２４０との区別を容易にするため、色分けして表示したが限定されない。なお、色に関して、キー領域２３０と非キー領域２４０とは無色透明であっても、また着色透明であってもよい。キー領域２３０と非キー領域２４０とを異なる色としてもよい。異なる色とした場合、さらに視覚により、使用者はキー領域２３０と非キー領域２４０とを認識できる。
【００５３】
本実施形態のキー領域２３０がＱＷＥＲＴＹキーボードの場合、「Ｆ」と「Ｊ」に対応する位置のガラス部材表面（露出面）の算術平均粗さＲａを、それ以外のガラス部材表面の算術平均粗さＲａと変化させてもよい。そうすることで、使用者が容易にホームポジションの位置を認識することが出来る。特に、「Ｆ」と「Ｊ」に対応する位置のガラス部材表面（露出面）の算術平均粗さＲａを１５ｎｍ未満とすることで、使用者の指が「Ｆ」と「Ｊ」のみ引っ掛かり易くなるためより好ましい。
【００５４】
〔第２実施形態〕
第２実施形態の電子デバイスを、図３を参照に説明する。なお、第１実施形態の電子デバイスと同様の構成には同一符号を付して説明を省略する場合がある。
【００５５】
図３に示されるように、第２実施形態の電子デバイス１０は、情報を表示するための表示ユニット１１０を有する表示用筐体１００と、表示用筐体１００と連結されるキーボード２１０を有する入力用筐体２００と、を備える。
【００５６】
図１に示されるように、表示用筐体１００と入力用筐体とは、連結部材である２個のヒンジ４００により、回転自在に機械的に連結される。
【００５７】
キーボード２１０は、最表部にタッチ入力を受け付けるための板状部材２５０を備える。
【００５８】
第２実施形態の電子デバイス１０と第１実施形態の電子デバイス１０とは、板状部材２５０の構成に関して異なる。
【００５９】
図３に示されるように、第２実施形態において、板状部材２５０は、キーボードのキー以外の部分に対応する非キー領域２６０、およびキー部分に対応する領域に配置され、かつ非キー領域２６０とは異なる材料からなるキー領域２７０から構成される。非キー領域２６０はキー領域２７０を取り囲んでいる。本実施形態では、非キー領域２６０としてガラス部材を、キー領域と２７０としてガラス部材とは異なる材料である接合部材を用いている点が、第１実施形態とは異なる。電子デバイス１０の使用者は、キー領域２７０を介して電子デバイス１０への入力操作を実行する。なお、図３に示されるように、キー領域２７０はキー表示部分に対応するので、一般的には上面視において略矩形状を有している。但し、キー領域２７０の形状は限定されない。
【００６０】
第１実施形態と同様、第２実施形態の非キー領域２６０となるガラス部材は、キー領域２７０となる接合部材の端面（不図示）と接合される側面（不図示）を有し、ガラス部材の側面は、２ｎｍ以上１００ｎｍ以下の表面粗さＲａのくびれた凹凸構造を有する。
【００６１】
ガラス部材の側面は、くびれた構造を含む凹凸構造を有するので、アンカー効果によりガラス部材の側面と接合部材の端面との間の接合力を高めることができる。実施形態では、側面２３６と端面２４２とを直接接合する場合を例示した。ガラス部材の側面と接合部材の端面とを接着剤を介して接合することができる。
【００６２】
第２実施形態では、板状部材２５０は、キー領域２７０がガラス部材と異なる接合部材で構成され、非キー領域２６０がガラス部材により構成される。したがって、指で板状部材２５０を触れた際、触覚（手の触感に違い）によりガラス部材と接合部材の位置を認識することができる。接合部材はキー領域２７０に対応するので、使用者が接合部材の位置を認識できれば、キー領域２７０の位置を認識できる。すなわち、使用者は、ブラインドタッチのように指の触覚により、電子デバイス１０に入力することが可能となる。
【００６３】
第２実施形態において、非キー領域２６０とキー領域２７０の段差は１５μｍ以上２００μｍ以下であることが好ましい。この範囲である場合、キー領域２７０と非キー領域２６０が板状部材２５０のように一体的に形成可能であるとともに、使用者がキー領域２７０と非キー領域２６０との段差の触感でより容易にキー領域２７０を特定できるため好ましい。
【００６４】
また、キー領域２７０と非キー領域２６０の段差が１５μｍ未満の場合、板状部材２５０は、実質的に平坦である。平坦な板状部材２５０に突起等を設けることなく、簡便な構成でキーの位置を認識できるので、意匠性とキー認識性の両立性に優れた電子デバイス１０を得ることができる。
【符号の説明】
【００６５】
１０  電子デバイス、１００  表示用筐体、１１０  表示ユニット、２００  入力用筐体、２１０  キーボード、２２０  板状部材、２３０  キー領域、２３２  主面、２３４  主面、２３６  側面、２４０  非キー領域、２４２  端面、２５０  板状部材、２６０  非キー領域、２７０  キー領域、４００  ヒンジ、５００  指、６００  センサ部材
【図１】
2020106871.tif 000003
【図２】
2020106871.tif 000004
【図３】
2020106871.tif 000005